(57)【特許請求の範囲】
【請求項１】
人体局部に向けて水を吐出するノズルと、
前記ノズルを収納するケーシングと、
給水源から前記ノズルに至る管路を有し、前記給水源から供給された水を前記ノズルに導く導水部と、
前記導水部を流れる水を加熱する加熱部と、
前記導水部の経路上において前記加熱部よりも下流側かつ前記ノズルよりも上流側に設けられ、水を流す流路と、前記流路を流れる水に紫外線を照射する発光素子と、を有する紫外線照射部と、
前記加熱部で温められた水よりも低い温度で前記発光素子を冷却する冷却手段を有する冷却部と、
前記紫外線照射部の動作を制御する制御部と、
を備え、
前記冷却部は、前記導水部に流れる水を前記発光素子と熱的に接触させる流路を有し、
前記冷却部の前記流路は、前記導水部の経路上において、前記加熱部よりも上流側に設けられ、
前記冷却手段は、前記導水部の経路上において、前記加熱部よりも上流側を流れる水であることを特徴とする衛生洗浄装置。
【請求項２】
前記発光素子は、前記ケーシング内の下部に配置されることを特徴とする請求項１記載の衛生洗浄装置。
【請求項３】
前記発光素子は、前記制御部よりも上側に配置されることを特徴とする請求項１記載の衛生洗浄装置。
【請求項４】
前記発光素子は、前記ノズルを挟んで前記制御部と反対側に配置されることを特徴とする請求項１記載の衛生洗浄装置。
【請求項５】
前記冷却部は、前記発光素子の熱を前記紫外線照射部の前記流路を流れる水に逃がすことによって前記発光素子を冷却することを特徴とする請求項１〜４のいずれか１つに記載の衛生洗浄装置。
【発明の詳細な説明】
【技術分野】
【０００１】
本発明の態様は、一般的に、衛生洗浄装置に関し、具体的には洋式腰掛便器に腰掛けた使用者の「おしり」などを水で洗浄する衛生洗浄装置に関する。
【背景技術】
【０００２】
衛生洗浄装置の洗浄水として使用される水道水では、病気や腐敗を起こす可能性のある菌（微生物）を塩素によって死滅又は不活性化させることにより、菌を減らすことが行われている。しかしながら、塩素の混入のみで水道水中に含まれる菌を完全に取り除けるわけではない。このため、衛生洗浄装置では、洗浄水に紫外線を照射する紫外線照射部を設け、洗浄水に含まれる菌をより低減させることが提案されている（特許文献１）。
【０００３】
紫外線照射部では、光源としてＬＥＤなどの発光素子を用いることが進められている。発光素子は、蛍光管などに比べて小型であり、紫外線照射部を小型化できる。しかしながら、発光素子には、発熱により、発光効率や寿命などの性能が低下してしまうという問題がある。このため、衛生洗浄装置では、紫外線照射部の光源に発光素子を用いた場合でも、発熱にともなう性能の低下を抑制することが望まれる。
【先行技術文献】
【特許文献】
【０００４】
【特許文献１】特公平０５−００４４９９号公報
【発明の概要】
【発明が解決しようとする課題】
【０００５】
本発明は、かかる課題の認識に基づいてなされたものであり、発熱にともなう紫外線照射部の性能の低下を抑制した衛生洗浄装置を提供することを目的とする。
【課題を解決するための手段】
【０００６】
第１の発明は、人体局部に向けて水を吐出するノズルと、前記ノズルを収納するケーシングと、給水源から前記ノズルに至る管路を有し、前記給水源から供給された水を前記ノズルに導く導水部と、前記導水部を流れる水を加熱する加熱部と、前記導水部の経路上において前記加熱部よりも下流側かつ前記ノズルよりも上流側に設けられ、水を流す流路と、前記流路を流れる水に紫外線を照射する発光素子と、を有する紫外線照射部と、前記加熱部で温められた水よりも低い温度で前記発光素子を冷却する冷却手段を有する冷却部と、前記紫外線照射部の動作を制御する制御部と、を備え、前記冷却部は、前記導水部に流れる水を前記発光素子と熱的に接触させる流路を有し、前記冷却部の前記流路は、前記導水部の経路上において、前記加熱部よりも上流側に設けられ、前記冷却手段は、前記導水部の経路上において、前記加熱部よりも上流側を流れる水であることを特徴とする衛生洗浄装置である。
【０００７】
この衛生洗浄装置によれば、発光素子を冷却部によって冷却することで、発光素子の発熱にともなう紫外線照射部の性能の低下を抑制することができる。
【０００９】
この衛生洗浄装置によれば、流路を流れる水に発光素子の熱を移し、発光素子を適切に冷却することができる。
【００１１】
この衛生洗浄装置によれば、加熱部によって温められる前の冷たい水によって発光素子を冷却することができ、発光素子をより適切に冷却することができる。また、発光素子によって水が温められるので、加熱部で与える熱量を抑えることもできる。例えば、加熱部の省電力化を図ることができる。
【００１３】
この衛生洗浄装置によれば、発光素子に風を吹き付けることで、発光素子を適切に冷却することができる。
【００１５】
この衛生洗浄装置によれば、下側に溜まった比較的冷たい空気を発光素子に吹き付けることができ、より効率良く発光素子を冷却することができる。
【００１７】
この衛生洗浄装置によれば、ボウル内に溜まった比較的冷たい空気を発光素子に吹き付けることができ、より効率良く発光素子を冷却することができる。また、例えば、送風部を脱臭用の送風部と兼用させることができる。これにより、例えば、発光素子の冷却にともなう衛生洗浄装置の部品点数の増加や大型化を抑えることができる。
【００１９】
この衛生洗浄装置によれば、送風部を適切なタイミングで動作させることができ、余計な送風を抑えることができる。
【００２０】
第２の発明は、第１の発明において、前記発光素子は、前記ケーシング内の下部に配置されることを特徴とする衛生洗浄装置である。
【００２１】
温かい空気は、ケーシング内において上側に溜まり、冷たい空気は、下側に溜まる。従って、この衛生洗浄装置によれば、比較的冷たい空気を発光素子に触れさせることができ、発光素子をより適切に冷却することができる。
【００２２】
第３の発明は、第１の発明において、前記発光素子は、前記制御部よりも上側に配置されることを特徴とする衛生洗浄装置である。
【００２３】
この衛生洗浄装置によれば、発光素子の熱が制御部に影響を及ぼすことを抑制することができる。例えば、熱による制御部の誤動作を抑制することができる。
【００２４】
第４の発明は、第１の発明において、前記発光素子は、前記ノズルを挟んで前記制御部と反対側に配置されることを特徴とする衛生洗浄装置である。
【００２５】
この衛生洗浄装置によれば、発光素子の熱が制御部に影響を及ぼすことを抑制することができる。例えば、熱による制御部の誤動作を抑制することができる。
【００２６】
第５の発明は、第１〜第４のいずれか１つの発明において、前記冷却部は、前記発光素子の熱を前記紫外線照射部の前記流路を流れる水に逃がすことによって前記発光素子を冷却することを特徴とする衛生洗浄装置である。
【００２７】
この衛生洗浄装置によれば、流路を流れる水に発光素子の熱を移し、発光素子を適切に冷却することができる。
【発明の効果】
【００２８】
本発明の態様によれば、発熱にともなう紫外線照射部の性能の低下を抑制した衛生洗浄装置が提供される。
【図面の簡単な説明】
【００２９】
【図１】本発明の第１の実施の形態にかかる衛生洗浄装置を備えたトイレ装置を表す斜視模式図である。
【図２】第１の実施形態にかかる衛生洗浄装置の要部構成を表すブロック図である。
【図３】図３（ａ）及び図３（ｂ）は、第１の実施形態にかかる紫外線照射部を模式的に表す断面図及び分解断面図である。
【図４】図４（ａ）及び図４（ｂ）は、第１の実施形態にかかる衛生洗浄装置の一部を表す模式図である。
【図５】第１の実施形態にかかる衛生洗浄装置の動作の具体例を例示するタイミングチャートである。
【図６】第１の実施形態にかかる衛生洗浄装置の変形例を模式的に表す正面図である。
【図７】第１の実施形態にかかる衛生洗浄装置の変形例を模式的に表す平面図である。
【図８】第２の実施形態にかかる衛生洗浄装置を模式的に表す平面図である。
【図９】図９（ａ）及び図９（ｂ）は、第２の実施形態にかかる流路ユニットを模式的に表す側面図及び平面図である。
【図１０】第２の実施形態にかかる流路ユニットの変形例を模式的に表す側面図である。
【図１１】第３の実施形態にかかる紫外線照射部を模式的に表す断面図である。
【図１２】第４の実施形態にかかる衛生洗浄装置を模式的に表す正面図である。
【図１３】第４の実施形態にかかる衛生洗浄装置の動作を例示するタイミングチャートである。
【図１４】第４の実施形態にかかる衛生洗浄装置の変形例を模式的に表す平面図である。
【図１５】第４の実施形態にかかる脱臭ユニットを模式的に表す斜視図である。
【発明を実施するための形態】
【００３０】
以下、本発明の実施の形態について図面を参照しつつ説明する。なお、各図面中、同様の構成要素には同一の符号を付して詳細な説明は適宜省略する。  
図１は、本発明の第１の実施の形態にかかる衛生洗浄装置を備えたトイレ装置を表す斜視模式図である。  
図１に表したように、トイレ装置は、洋式腰掛便器（以下説明の便宜上、単に「便器」と称する）８００と、その上に設けられた衛生洗浄装置１００と、を備える。衛生洗浄装置１００は、ケーシング４００と、便座２００と、便蓋３００と、を有する。便座２００と便蓋３００とは、ケーシング４００に対して開閉自在にそれぞれ軸支されている。
【００３１】
ケーシング４００の内部には、便座２００に座った使用者の「おしり」などの洗浄を実現する身体洗浄機能部などが内蔵されている。ケーシング４００は、洗浄ノズル（以下説明の便宜上、単に「ノズル」と称する）４７３を収納する。また、例えばケーシング４００には、使用者が便座２００に座ったことを検知する着座検知センサ４０４が設けられている。着座検知センサ４０４が便座２００に座った使用者を検知している場合において、使用者が例えばリモコンなどの操作部５００を操作すると、ノズル４７３を便器８００のボウル８０１内に進出させることができる。なお、図１に表した衛生洗浄装置１００では、ノズル４７３がボウル８０１内に進出した状態を表している。
【００３２】
ノズル４７３は、人体局部に向けて水を吐出し、人体局部の洗浄を行う。ノズル４７３の先端部には、ビデ洗浄吐水口４７４ａ及びおしり洗浄吐水口４７４ｂが設けられている。ノズル４７３は、その先端に設けられたビデ洗浄吐水口４７４ａから水を噴射して、便座２００に座った女性の女性局部を洗浄することができる。あるいは、ノズル４７３は、その先端に設けられたおしり洗浄吐水口４７４ｂから水を噴射して、便座２００に座った使用者の「おしり」を洗浄することができる。なお、本願明細書において「水」という場合には、冷水のみならず、加熱されたお湯も含むものとする。
【００３３】
「おしり」を洗浄するモードのなかには、例えば、「おしり洗浄」と、「おしり洗浄」よりもソフトな水流で優しく洗浄する「やわらか洗浄」と、が含まれる。ノズル４７３は、例えば、「ビデ洗浄」と、「おしり洗浄」と、「やわらか洗浄」と、を実行することができる。
【００３４】
なお、図１に表したノズル４７３では、ビデ洗浄吐水口４７４ａがおしり洗浄吐水口４７４ｂよりもノズル４７３の先端側に設けられているが、ビデ洗浄吐水口４７４ａおよびおしり洗浄吐水口４７４ｂの設置位置は、これだけに限定されるわけではない。ビデ洗浄吐水口４７４ａは、おしり洗浄吐水口４７４ｂよりもノズル４７３の後端側に設けられていてもよい。また、図１に表したノズル４７３では、２つの吐水口が設けられているが、３つ以上の吐水口が設けられていてもよい。
【００３５】
図２は、第１の実施形態にかかる衛生洗浄装置の要部構成を表すブロック図である。  
図２では、水路系と電気系の要部構成を併せて表している。  
図２に表したように、衛生洗浄装置１００は、導水部２０を有する。導水部２０は、水道や貯水タンクなどの給水源１０からノズル４７３に至る管路２０ａを有する。導水部２０は、管路２０ａにより、給水源１０から供給された水をノズル４７３に導く。管路２０ａは、例えば、以下に説明する電磁弁４３１、熱交換器ユニット４４０、流路切替部４７２などの各部と、これらの各部を接続する複数の配管と、によって形成される。
【００３６】
導水部２０の上流側には、電磁弁４３１が設けられている。電磁弁４３１は、開閉可能な電磁バルブであり、ケーシング４００の内部に設けられた制御部４０５からの指令に基づいて水の供給を制御する。換言すれば、電磁弁４３１は、管路２０ａを開閉する。電磁弁４３１を開状態にすることにより、給水源１０から供給された水が、管路２０ａに流れる。
【００３７】
電磁弁４３１の下流には、調圧弁４３２が設けられている。調圧弁４３２は、給水圧が高い場合に、管路２０ａ内の圧力を所定の圧力範囲に調整する。調圧弁４３２の下流には、逆止弁４３３が設けられている。逆止弁４３３は、管路２０ａ内の圧力が低下した場合などに、逆止弁４３３よりも上流側への水の逆流を抑制する。
【００３８】
逆止弁４３３の下流には、熱交換器ユニット４４０（加熱部）が設けられている。熱交換器ユニット４４０は、ヒータを有し、給水源１０から供給された水を加熱して例えば規定の温度まで昇温する。すなわち、熱交換器ユニット４４０は、温水を生成する。
【００３９】
本実施形態の熱交換器ユニット４４０は、例えばセラミックヒータなどを用いた瞬間加熱式（瞬間式）の熱交換器であり、貯湯タンクを用いた貯湯加熱式熱交換器と比較すると、短い時間で水を規定の温度まで昇温させることができる。なお、熱交換器ユニット４４０は、瞬間加熱式の熱交換器には限定されず、貯湯加熱式の熱交換器であってもよい。また、加熱部は、熱交換器に限ることなく、例えば、マイクロ波加熱を利用するものなど、他の加熱方式を用いたものでもよい。
【００４０】
熱交換器ユニット４４０は、制御部４０５と接続されている。制御部４０５は、例えば、使用者による操作部５００の操作に応じて熱交換器ユニット４４０を制御することにより、操作部５００で設定された温度に水を昇温する。
【００４１】
熱交換器ユニット４４０の下流には、流量センサ４４２が設けられている。流量センサ４４２は、熱交換器ユニット４４０から吐出された水の流量を検知する。すなわち、流量センサ４４２は、管路２０ａ内を流れる水の流量を検知する。流量センサ４４２は、制御部４０５に接続されている。流量センサ４４２は、流量の検知結果を制御部４０５に入力する。
【００４２】
流量センサ４４２の下流には、電解槽ユニット４５０が設けられている。電解槽ユニット４５０は、内部を流れる水道水を電気分解することにより、水道水から次亜塩素酸を含む液（機能水）を生成する。電解槽ユニット４５０は、制御部４０５に接続されている。電解槽ユニット４５０は、制御部４０５による制御に基づいて、機能水の生成を行う。
【００４３】
電解槽ユニット４５０において生成される機能水は、例えば、銀イオンや銅イオンなどの金属イオンを含む溶液であってもよい。あるいは、電解槽ユニット４５０において生成される機能水は、電解塩素やオゾンなどを含む溶液であってもよい。あるいは、電解槽ユニット４５０において生成される機能水は、酸性水やアルカリ水であってもよい。
【００４４】
電解槽ユニット４５０の下流には、バキュームブレーカ（ＶＢ）４５２が設けられている。バキュームブレーカ４５２は、例えば、水を流すための流路と、流路内に空気を取り込むための吸気口と、吸気口を開閉する弁機構と、を有する。弁機構は、例えば、流路に水が流れている時に吸気口を塞ぎ、水の流れの停止とともに吸気口を開放して流路内に空気を取り込む。すなわち、バキュームブレーカ４５２は、導水部２０に水の流れが無い時に、管路２０ａ内に空気を取り込む。弁機構には、例えば、フロート弁が用いられる。
【００４５】
バキュームブレーカ４５２は、上記のように管路２０ａ内に空気を取り込むことにより、例えば、管路２０ａのバキュームブレーカ４５２よりも下流の部分の水抜きを促進させる。バキュームブレーカ４５２は、例えば、ノズル４７３の水抜きを促進する。このように、バキュームブレーカ４５２は、ノズル４７３内の水を抜いてノズル４７３内に空気を取り込むことにより、例えば、ノズル４７３内の洗浄水やボウル８０１内に溜まった汚水などが、給水源１０（上水）側に逆流してしまうことを抑制する。
【００４６】
バキュームブレーカ４５２の下流には、圧力変調装置４５４が設けられている。圧力変調装置４５４は、導水部２０の管路２０ａ内の水の流れに脈動または加速を与え、ノズル４７３のビデ洗浄吐水口４７４ａ及びおしり洗浄吐水口４７４ｂやノズル洗浄室４７８の吐水部から吐水される水に脈動を与える。すなわち、圧力変調装置４５４は、管路２０ａ内を流れる水の流動状態を変動させる。圧力変調装置４５４は、制御部４０５に接続されている。圧力変調装置４５４は、制御部４０５による制御に基づいて、水の流動状態を変動させる。
【００４７】
圧力変調装置４５４の下流には、紫外線照射部４６０が設けられている。紫外線照射部４６０は、管路２０ａ内を流れる水に紫外線を照射する。紫外線照射部４６０は、例えば、紫外線の照射により、管路２０ａ内を流れる水に含まれる菌の少なくとも一部を死滅又は不活性化させる。これにより、紫外線照射部４６０は、管路２０ａ内を流れる水に含まれる生きた菌を減らす。紫外線照射部４６０は、例えば、紫外線の照射により、洗浄水を除菌する。紫外線照射部４６０は、制御部４０５に接続されている。紫外線照射部４６０は、制御部４０５による制御に基づいて、紫外線の照射を行う。
【００４８】
紫外線照射部４６０の下流には、流量調整部４７１が設けられている。流量調整部４７１は、水勢（流量）の調整を行う。流量調整部４７１の下流には、流路切替部４７２が設けられている。流路切替部４７２は、ノズル４７３やノズル洗浄室４７８への給水の開閉や切替を行う。流量調整部４７１及び流路切替部４７２は、１つのユニットとして設けてもよい。流量調整部４７１及び流路切替部４７２は、制御部４０５に接続されている。流量調整部４７１及び流路切替部４７２の動作は、制御部４０５によって制御される。
【００４９】
流路切替部４７２の下流には、ノズル４７３、ノズル洗浄室４７８、及び噴霧ノズル４７９が設けられている。ノズル４７３は、ノズルモータ４７６からの駆動力を受け、便器８００のボウル８０１内に進出したり後退したりする。つまり、ノズルモータ４７６は、制御部４０５からの指令に基づいてノズル４７３を進退させる。
【００５０】
ノズル洗浄室４７８は、その内部に設けられた吐水部から機能水あるいは水を噴射することにより、ノズル４７３の外周表面（胴体）を洗浄する。噴霧ノズル４７９は、洗浄水や機能水をミスト状にしてボウル８０１に噴霧する。この例では、人体を洗浄するためのノズル４７３とは別に噴霧ノズル４７９を設けている。これに限ることなく、ミスト状の液体をボウル８０１に噴霧するための吐水口をノズル４７３に設けてもよい。
【００５１】
また、流路切替部４７２の下流には、おしり洗浄流路２１と、やわらか洗浄流路２２と、ビデ洗浄流路２３と、が設けられている。おしり洗浄流路２１及びやわらか洗浄流路２２は、導水部２０を介して給水源１０から供給された水や電解槽ユニット４５０において生成された機能水をおしり洗浄吐水口４７４ｂへ導く。ビデ洗浄流路２３は、導水部２０を介して給水源１０から供給された水や電解槽ユニット４５０において生成された機能水をビデ洗浄吐水口４７４ａへ導く。
【００５２】
また、流路切替部４７２の下流には、表面洗浄流路２４と、噴霧用流路２５と、が設けられている。表面洗浄流路２４は、導水部２０を介して給水源１０から供給された水や電解槽ユニット４５０において生成された機能水をノズル洗浄室４７８の吐水部へ導く。噴霧用流路２５は、導水部２０を介して給水源１０から供給される水や電解槽ユニット４５０において生成された機能水を噴霧ノズル４７９に導く。
【００５３】
制御部４０５は、流路切替部４７２を制御することにより、おしり洗浄流路２１、やわらか洗浄流路２２、ビデ洗浄流路２３、表面洗浄流路２４と、及び噴霧用流路２５の各流路の開閉を切り替える。このように、流路切替部４７２は、ビデ洗浄吐水口４７４ａ、洗浄吐水口４７４ｂ、ノズル洗浄室４７８、及び噴霧ノズル４７９などの複数の吐水口のそれぞれについて、管路２０ａに連通させた状態と、管路２０ａに連通させない状態と、を切り替える。
【００５４】
制御部４０５は、電源回路４０１から電力を供給され、人体検知センサ４０３や、着座検知センサ４０４や、流量センサ４４２や、操作部５００などからの信号に基づいて、電磁弁４３１や、熱交換器ユニット４４０や、電解槽ユニット４５０や、圧力変調装置４５４や、紫外線照射部４６０や、流量調整部４７１や、流路切替部４７２や、ノズルモータ４７６などの動作を制御する。
【００５５】
人体検知センサ４０３は、図１に表したように、ケーシング４００の上面に形成された凹設部４０９に埋め込まれるように設けられ、便座２００に近づいた使用者（人体）を検知する。また、便蓋３００の後部には透過窓３１０が設けられている。そのため、便蓋３００が閉じた状態において、人体検知センサ４０３は、透過窓３１０を介して使用者の存在を検知することができる。制御部４０５は、例えば、人体検知センサ４０３による使用者の検知に応答して、便蓋３００を自動的に開く。
【００５６】
操作部５００には、例えば、おしり洗浄ボタン、やわらか洗浄ボタン、ビデ洗浄ボタン、洗浄停止ボタン、水温調節ボタンなどの複数の操作部材が設けられている。操作部５００は、使用者の操作部材の操作に応じて、対応する指示を制御部４０５に入力する。操作部５００は、少なくとも人体洗浄（おしり洗浄、やわらか洗浄、ビデ洗浄など）の開始の指示及び人体洗浄の停止の指示を制御部４０５に入力できればよい。操作部５００がリモコンである場合、操作部５００は、ケーシング４００とは別に設けられる。この場合、操作部５００は、各種の信号を無線信号として制御部４０５に入力する。操作部５００は、ケーシング４００に一体に設けてもよい。
【００５７】
また、ケーシング４００には、便座２００に座った使用者の「おしり」などに向けて温風を吹き付けて乾燥させる「温風乾燥機能」や「脱臭ユニット」や「室内暖房ユニット」などの各種の機構が適宜設けられていてもよい。この際、ケーシング４００の側面には、脱臭ユニットからの排気口４０７及び室内暖房ユニットからの排出口４０８が適宜設けられる。ただし、本発明においては、衛生洗浄機能部やその他の付加機能部は必ずしも設けなくてもよい。
【００５８】
図３（ａ）及び図３（ｂ）は、第１の実施形態にかかる紫外線照射部を模式的に表す断面図及び分解断面図である。  
図３（ａ）及び図３（ｂ）に表したように、紫外線照射部４６０は、流路４６１と、発光素子４６２と、を有する。流路４６１は、例えば、圧力変調装置４５４から送られた水を内部に流し、流量調整部４７１に送る。発光素子４６２は、流路を流れる水に紫外線を照射する。発光素子４６２の照射する紫外線の波長は、例えば、２００ｎｍ以上４００ｎｍ以下である。好ましくは、２５０ｎｍである。これにより、流路４６１を流れる水に含まれる菌を適切に減らすことができる。発光素子４６２は、例えば、ＬＥＤ（Light Emitting Diode）である。発光素子４６２は、ＬＥＤに限ることなく、例えば、ＬＤ（Laser Diode）やＯＬＥＤ（Organic Light Emitting Diode）などでもよい。
【００５９】
流路４６１は、直管状である。流路４６１の一端には、開口４６１ａが設けられている。流路４６１の他端には、開口４６１ｂが設けられている。流路４６１は、開口４６１ａと開口４６１ｂとの間に水を流す。開口４６１ａは、例えば、圧力変調装置４５４に接続される。開口４６１ｂは、例えば、流量調整部４７１に接続される。これにより、圧力変調装置４５４を出た水が、開口４６１ａから流路４６１内に入り、開口４６１ｂを介して流量調整部４７１に流れる。すなわち、流路４６１は、管路２０ａの一部を形成する。流路４６１において、水は、開口４６１ａから開口４６１ｂに向かって流れる。これとは反対に、開口４６１ｂから開口４６１ａに向かって水を流してもよい。
【００６０】
開口４６１ｂは、流路４６１の延びる方向と同じ方向を向く。一方、開口４６１ａは、流路４６１の延びる方向に対して直交する方向を向く。すなわち、この例において、流路４６１は、略Ｌ字状の管路である。流路４６１の形状は、これに限ることなく、内部に水を流すことが可能な任意の形状でよい。
【００６１】
また、流路４６１の開口４６１ａが設けられた一端には、開口４６１ｃがさらに設けられている。開口４６１ｃは、流路４６１の延びる方向と同じ方向を向く。開口４６１ｃの外縁には、凹部４６１ｄが設けられている。凹部４６１ｄには、紫外線照射窓４６３が嵌め込まれる。紫外線照射窓４６３の形状は、凹部４６１ｄの形状と実質的に同じである。紫外線照射窓４６３は、発光素子４６２の照射する紫外線に対して透過性である。紫外線照射窓４６３は、流路４６１の外部に配置される発光素子４６２の紫外線を流路４６１の内部に入射させる。紫外線照射窓４６３には、例えば、石英ガラスなどの無機ガラスが用いられる。
【００６２】
このように、この例では、発光素子４６２が流路４６１の外側に設けられている。これに限ることなく、例えば、発光素子４６２が樹脂や金属などのパッケージで封止されている場合には、発光素子４６２の少なくとも一部を流路４６１内に配置してもよい。この場合、紫外線照射窓４６３は、発光素子４６２のパッケージに設けられたものでもよい。このように、発光素子４６２は、紫外線照射窓４６３を有してもよい。
【００６３】
凹部４６１ｄには、さらに凹部４６１ｅが設けられている。凹部４６１ｅは、開口４６１ｃの外縁を囲む環状である。凹部４６１ｅには、パッキン４６４が嵌め込まれる。パッキン４６４には、ゴムなどの弾性のある材料が用いられる。パッキン４６４は、凹部４６１ｅに入り込み、流路４６１と紫外線照射窓４６３とに挟まれて僅かに弾性変形し、流路４６１と紫外線照射窓４６３との間に空く隙間を塞ぐ。これにより、パッキン４６４は、紫外線照射窓４６３からの水漏れを抑制する。
【００６４】
また、流路４６１の一端には、蓋部４６５が取り付けられる。蓋部４６５は、流路４６１の一端に取り付けられ、流路４６１とともに紫外線照射窓４６３及びパッキン４６４を挟む。これにより、蓋部４６５は、紫外線照射窓４６３及びパッキン４６４を保持する。蓋部４６５には、紫外線照射窓４６３と対向する位置に、開口４６５ａが設けられている。
【００６５】
発光素子４６２は、基板４６６に実装されている。基板４６６は、流路４６１と反対側から蓋部４６５に取り付けられる。発光素子４６２は、基板４６６が蓋部４６５に取り付けられた状態で、蓋部４６５の開口４６５ａに入り込む。これにより、発光素子４６２が、紫外線照射窓４６３と対向し、発光素子４６２から照射された紫外線が、紫外線照射窓４６３を介して流路４６１内に入射する。発光素子４６２は、例えば、基板４６６を介して制御部４０５に接続され、制御部４０５からの指示に応じて紫外線の照射を行う。発光素子４６２の点灯及び消灯は、制御部４０５によって制御される。制御部４０５は、例えば、実質的に一定の電流を発光素子４６２に供給する定電流駆動によって発光素子４６２から紫外線を照射させる。これにより、例えば、発光素子４６２から照射される紫外線の強度を実質的に一定に保つことができる。発光素子４６２の駆動方式は、これに限ることなく、例えば、定電圧駆動でもよいし、他の駆動方式でもよい。発光素子４６２の駆動方式は、例えば、ＰＷＭ（Pulse Width Modulation）方式など、オン・オフを高速で切り替える方式でもよい。
【００６６】
このように、発光素子４６２は、直管状の流路４６１の一端に取り付けられる。従って、発光素子４６２の紫外線を照射する方向は、流路４６１の延びる方向と同じである。例えば、発光素子４６２の光軸は、流路４６１の延びる方向と略平行である。
【００６７】
発光素子４６２の紫外線の照射方向は、上記に限ることなく、流路４６１を流れる水に対して紫外線を照射可能な任意の方向でよい。但し、上記のように、発光素子４６２の紫外線を照射する方向を、流路４６１の延びる方向と同じとする。例えば、発光素子４６２から照射される紫外線の方向が、少なくとも流路４６１の延びる方向と同じ方向に向かう成分を有するようにする。これにより、紫外線が水に当たる時間が長くなり、水に含まれる菌をより適切に減らすことができる。
【００６８】
この例では、直管状の流路４６１を示しているが、流路４６１の形状は、水を流すことが可能な任意の形状でよい。流路４６１の少なくとも一部に直管状の部分を設け、この直管状の部分の延びる方向が、発光素子４６２の紫外線の照射方向と同じになるようにしてもよい。
【００６９】
流路４６１は、本体部４６７と、反射部４６８と、を有する。反射部４６８は、本体部４６７の内側に設けられる。反射部４６８は、流路４６１の内面の少なくとも一部を形成する。反射部４６８は、発光素子４６２から照射される紫外線に対して反射性である。発光素子４６２から照射される紫外線に対し、反射部４６８の反射率は、本体部４６７の反射率よりも高い。本体部４６７には、例えば、樹脂材料が用いられる。反射部４６８には、例えば、アルミニウム、ステンレス、銀などの金属材料が用いられる。反射部４６８の材料は、金属材料に限ることなく、例えば、誘電体多層膜などでもよい。反射部４６８の材料は、発光素子４６２から照射される紫外線に対して反射性であり、かつ本体部４６７よりも高い反射率を有する任意の材料でよい。
【００７０】
図３（ａ）及び図３（ｂ）に表したように、衛生洗浄装置１００は、ヒートシンク６００（冷却部）をさらに備える。ヒートシンク６００は、基板４６６の下に設けられる。ヒートシンク６００は、例えば、基板４６６の発光素子４６２が設けられた面と反対側の面に接触する。これにより、ヒートシンク６００は、基板４６６を介して発光素子４６２と熱的に接触する。例えば、ヒートシンク６００と基板４６６との間に、熱伝導シートや熱伝導グリスなどを設け、これらを介してヒートシンク６００と基板４６６とを熱的に接触させてもよい。
【００７１】
ヒートシンク６００は、発光素子４６２に熱的に接触し、発光素子４６２の放熱効率を高めることにより、発光素子４６２を冷却する。ここで、「冷却する」とは、例えば、ヒートシンク６００を設けていない場合の発光素子４６２の自然放熱よりも、発光素子４６２を点灯させた時の温度を下げることである。
【００７２】
ヒートシンク６００は、例えば、発光素子４６２を連続的に点灯させた時の発光素子４６２の温度を所定の耐熱温度以下にする。換言すれば、ヒートシンク６００は、発光素子４６２の放熱効率を高めることにより、発光素子４６２を連続的に点灯させた場合にも、発光素子４６２の温度が耐熱温度よりも高くならないようにする。ヒートシンク６００は、例えば、トイレ空間などの周囲温度が常温（例えば、１５℃以上２５℃以下）の状態において、発光素子４６２を連続的に点灯させた時の発光素子４６２の温度を１００℃以下にする。好ましくは、８５℃以下にする。なお、「連続的に点灯」には、ＰＷＭ制御などの高速スイッチング方式も含むものとする。
【００７３】
ヒートシンク６００は、例えば、略Ｌ字状に屈曲した平板である。ヒートシンク６００の形状は、これに限ることなく、発光素子４６２の放熱効率を高めることができる任意の形状でよい。ヒートシンク６００には、例えば、アルミニウム、銅、鉄などの熱伝導率の高い金属材料が用いられる。ヒートシンク６００の材料は、金属材料に限ることなく、例えばカーボンなど、熱伝導率が高く、発光素子４６２の放熱効率を高めることができる任意の材料でよい。
【００７４】
図４（ａ）及び図４（ｂ）は、第１の実施形態にかかる衛生洗浄装置の一部を表す模式図である。  
図４（ａ）は、衛生洗浄装置１００の各部の配置の概略を表す模式的平面図であり、図４（ｂ）は、模式的正面図である。  
図４（ａ）及び図４（ｂ）に表したように、ノズル４７３は、ケーシング４００内において左右方向の中央付近に配置される。ケーシング４００には、給水源１０に接続される給水口４１０が設けられている。給水口４１０は、ケーシング４００の左右方向の中央より右側又は左側に寄せて配置される。
【００７５】
衛生洗浄装置１００の各部のうちの電磁弁４３１から紫外線照射部４６０までの部分は、ノズル４７３で仕切られるケーシング４００の内部空間の一方に設けられる。電磁弁４３１から紫外線照射部４６０までの部分は、ケーシング４００の内部空間の右側部分及び左側部分のうち、給水口４１０の設けられた側に配置される。給水口４１０は、例えば、電磁弁４３１に接続される。このように、電磁弁４３１〜紫外線照射部４６０及び給水口４１０をケーシング４００内に配置することにより、例えば、水路の長さを短くすることができ、各部をケーシング４００内に効率良く配置することができる。例えば、衛生洗浄装置１００の大型化を抑制することができる。
【００７６】
また、図４（ｂ）に表したように、紫外線照射部４６０の発光素子４６２は、ケーシング４００内の下部に配置される。従って、ヒートシンク６００も、ケーシング４００内の下部に配置される。発光素子４６２及びヒートシンク６００は、例えば、ケーシング４００の高さ方向の中央ＭＤよりも下側に配置される。
【００７７】
次に、本実施形態にかかる衛生洗浄装置の動作の具体例について、図面を参照しつつ説明する。  
図５は、第１の実施形態にかかる衛生洗浄装置の動作の具体例を例示するタイミングチャートである。  
図５に表したように、着座検知センサ４０４が使用者を検知する前の待機状態では、ノズル４７３は、ケーシング４００に収納されている（タイミングｔ０〜ｔ１）。
【００７８】
人体検知センサ４０３がトイレ室に入室した使用者を検知すると、制御部４０５は、電磁弁４３１を開くとともに、噴霧ノズル４７９のみを導水部２０の管路２０ａに連通させるように流路切替部４７２を駆動することにより、上水をボウル８０１の表面に噴霧する（タイミングｔ１）。上水が噴霧される時間は、例えば約４秒間程度である（タイミングｔ１〜ｔ２）。このように、使用者が便器８００を使用する前に、ボウル８０１の表面を濡らすことで、ボウル８０１の表面に付着する汚物を軽減させることができる。
【００７９】
制御部４０５は、使用者の操作に応じて操作部５００から人体洗浄の開始の指示が入力されると、電磁弁４３１を開くとともに、ビデ洗浄吐水口４７４ａ及びおしり洗浄吐水口４７４ｂのみを導水部２０の管路２０ａに連通させるように流路切替部４７２を駆動する（タイミングｔ３）。これにより、制御部４０５は、ノズル４７３を収納した状態で、給水源１０からビデ洗浄吐水口４７４ａ及びおしり洗浄吐水口４７４ｂへと至る経路を洗浄する。
【００８０】
また、制御部４０５は、このタイミングで熱交換器ユニット４４０を動作させることにより、温水の生成を開始する。より具体的には、流量センサ４４２の検出値が、所定値以上になった時点で熱交換器ユニット４４０の動作を開始させる。これにより、熱交換器ユニット４４０内に水が無い状態で加熱を開始してしまうことを抑制することができる。いわゆる、熱交換器ユニット４４０の空炊きを抑制できる。従って、熱交換器ユニット４４０の動作を開始するタイミングは、厳密には、人体洗浄の開始の指示が入力されたタイミング（電磁弁４３１を開いたタイミング）よりも僅かに遅れる。
【００８１】
また、制御部４０５は、人体洗浄の開始の指示が入力されると、紫外線照射部４６０の発光素子４６２を点灯させ、流路４６１に流れる水に対する紫外線の照射を開始する。これにより、流路４６１に流れる水に含まれる菌を減らし、安全な洗浄水をノズル４７３に供給することができる。この際、ヒートシンク６００が、発光素子４６２を冷却する。これにより、発光素子４６２の発熱にともなう紫外線照射部４６０の性能の低下を抑制することができる。例えば、発光素子４６２の発光効率の低下や寿命の低下を抑制することができる。
【００８２】
この例では、人体検知センサ４０３の検知に応じたボウル８０１の表面への水の噴霧により、流路４６１内に水が充填される。従って、人体洗浄の開始の指示と実質的に同時に紫外線照射部４６０を駆動した場合でも、流路４６１内に水が充填された状態で紫外線が照射される。このように、制御部４０５は、流路４６１内に水を充填してから紫外線照射部４６０に紫外線を照射させる。これにより、流路４６１内に水が無い状態での紫外線の照射を抑制し、紫外線の照射にともなう流路４６１の劣化を抑制することができる。
【００８３】
制御部４０５は、所定時間洗浄を行った後、ノズル洗浄室４７８のみを導水部２０の管路２０ａに連通させるように流路切替部４７２を駆動するとともに、ノズルモータ４７６を駆動することにより、ノズル４７３の胴体洗浄を行いながらノズル４７３をボウル８０１内に進出させる（タイミングｔ４）。
【００８４】
制御部４０５は、ノズル４７３をボウル内に進出させた後、ビデ洗浄吐水口４７４ａ及びおしり洗浄吐水口４７４ｂのいずれか一方のみを導水部２０の管路２０ａに連通させるように流路切替部４７２を駆動することにより、人体洗浄を開始する（タイミングｔ５）。
【００８５】
制御部４０５は、操作部５００から人体洗浄の停止が指示されると、ノズル洗浄室４７８のみを導水部２０の管路２０ａに連通させるように流路切替部４７２を駆動するとともに、ノズルモータ４７６を駆動することにより、ノズル４７３の胴体洗浄を行いながらノズル４７３をケーシング４００内に収納する（タイミングｔ６）。
【００８６】
制御部４０５は、ノズル４７３の収納を完了させた後、ビデ洗浄吐水口４７４ａ及びおしり洗浄吐水口４７４ｂのみを導水部２０の管路２０ａに連通させるように流路切替部４７２を駆動することにより、給水源１０からノズル４７３へと至る経路を洗浄する（タイミングｔ７）。
【００８７】
制御部４０５は、所定時間洗浄を行った後、電磁弁４３１を閉じるとともに、熱交換器ユニット４４０及び紫外線照射部４６０の動作を停止させる（タイミングｔ８）。このように、制御部４０５は、人体洗浄の停止の指示から所定時間経過した後に電磁弁４３１を閉じるとともに、人体洗浄の開始の指示から所定時間経過するまでの間において紫外線照射部４６０に紫外線を照射させる。所定時間は、例えば、ノズル４７３の後退に必要となる時間と、給水源１０とノズル４７３との間の経路の洗浄に必要となる時間と、の和である。
【００８８】
制御部４０５は、人体検知センサ４０３による使用者の検知の解除から所定時間経過した後、ビデ洗浄吐水口４７４ａ、洗浄吐水口４７４ｂ、ノズル洗浄室４７８、及び噴霧ノズル４７９のそれぞれを管路２０ａと連通させるように流路切替部４７２を駆動することにより、ノズル４７３内に溜まった水の水抜き動作を行う（タイミングｔ９）。この時、バキュームブレーカ４５２内の水が減ると、バキュームブレーカ４５２の吸気口が開き、管路２０ａ内に空気が取り込まれる。これにより、バキュームブレーカ４５２よりも下流の部分の水抜きが促進される。
【００８９】
制御部４０５は、所定時間水抜きを行った後、流路切替部４７２を駆動し、ビデ洗浄吐水口４７４ａ、洗浄吐水口４７４ｂ、ノズル洗浄室４７８、及び噴霧ノズル４７９のそれぞれと管路２０ａとの連通を閉じる（タイミングｔ１０）。
【００９０】
制御部４０５は、水抜き動作からさらに所定時間経過した後、電磁弁４３１を開くとともに、ビデ洗浄吐水口４７４ａ及びおしり洗浄吐水口４７４ｂのみを導水部２０の管路２０ａに連通させるように流路切替部４７２を駆動する（タイミングｔ１１）。また、制御部４０５は、電解槽ユニット４５０を動作させる。これにより、制御部４０５は、ノズル４７３を収納した状態で、給水源１０からビデ洗浄吐水口４７４ａ及びおしり洗浄吐水口４７４ｂへと至る経路を機能水で洗浄する。制御部４０５は、例えば、電解槽ユニット４５０とノズル４７３との間の経路を機能水で除菌する。
【００９１】
制御部４０５は、所定時間洗浄を行った後、ノズル洗浄室４７８のみを導水部２０の管路２０ａに連通させるように流路切替部４７２を駆動するとともに、ノズルモータ４７６を駆動することにより、ノズル４７３を進退させ、ノズル４７３の胴体を機能水で洗浄する（タイミングｔ１１〜ｔ１２）。例えば、ノズル４７３の胴体を機能水で除菌する。
【００９２】
制御部４０５は、ノズル４７３の胴体を洗浄した後、電解槽ユニット４５０とノズル４７３との間の経路を再び機能水で洗浄し、電磁弁４３１を閉じるとともに、電解槽ユニット４５０の動作を停止させる（タイミングｔ１３〜ｔ１４）。
【００９３】
制御部４０５は、ノズル４７３の除菌を行った後、再び水抜き動作を行う（タイミングｔ１５）。この時、制御部４０５は、ノズルモータ４７６を駆動し、ノズル４７３を進退させる（タイミングｔ１６〜ｔ１７）。これにより、例えば、バキュームブレーカ４５２と各吐水口４７４ａ、４７４ｂとの間の高低差が大きくなり、バキュームブレーカ４５２よりも下流の部分の水抜きをより確実に行うことができる。
【００９４】
以上、説明したように、衛生洗浄装置１００では、ヒートシンク６００が、発光素子４６２を冷却する。これにより、発光素子４６２の発熱にともなう紫外線照射部４６０の性能の低下を抑制することができる。例えば、発光素子４６２の発光効率の低下や寿命の低下を抑制することができる。
【００９５】
また、衛生洗浄装置１００では、発光素子４６２及びヒートシンク６００をケーシング４００内の下部に配置している。温かい空気は、ケーシング４００内において上側に溜まり、冷たい空気は、下側に溜まる。従って、衛生洗浄装置１００によれば、比較的冷たい空気を発光素子４６２及びヒートシンク６００に触れさせることができ、発光素子４６２をより適切に冷却することができる。
【００９６】
図６は、第１の実施形態にかかる衛生洗浄装置の変形例を模式的に表す正面図である。  なお、上記実施形態で説明したものと機能・構成上実質的に同じものについては、同符号を付し、詳細な説明は省略する。  
図６に表したように、衛生洗浄装置１０２では、紫外線照射部４６０の発光素子４６２が、制御部４０５よりも上側に配置されている。衛生洗浄装置１０２では、ヒートシンク６００も制御部４０５より上側に配置されている。衛生洗浄装置１０２では、発光素子４６２及びヒートシンク６００が、ケーシング４００の高さ方向の中央ＭＤよりも上側に配置されている。
【００９７】
このように、衛生洗浄装置１０２では、発光素子４６２を制御部４０５よりも上側に配置する。これにより、発光素子４６２の熱が制御部４０５に影響を及ぼすことを抑制することができる。例えば、熱による制御部４０５の誤動作を抑制することができる。
【００９８】
この際、発光素子４６２は、例えば、上下方向において制御部４０５と重なる位置に配置してもよい。これにより、例えば、発光素子４６２をケーシング４００内の下部に配置する場合に比べて、紫外線照射部４６０の配置の自由度を高めることができる。例えば、紫外線照射部４６０をケーシング４００内により効率良く配置し、衛生洗浄装置１０２の大型化をより適切に抑えることができる。
【００９９】
このように、発光素子４６２をケーシング４００内の下部に配置した場合には、放熱効率を高めることができる。一方、発光素子４６２を制御部４０５よりも上側に配置した場合には、紫外線照射部４６０の配置の自由度を高めることができる。
【０１００】
図７は、第１の実施形態にかかる衛生洗浄装置の変形例を模式的に表す平面図である。  図７に表したように、衛生洗浄装置１０４では、紫外線照射部４６０の発光素子４６２が、ノズル４７３を挟んで制御部４０５と反対側に配置されている。換言すれば、この例では、ノズル４７３が、制御部４０５と紫外線照射部４６０との間に配置されている。
【０１０１】
このように、衛生洗浄装置１０４では、発光素子４６２をノズル４７３を挟んで制御部４０５と反対側に配置する。これにより、発光素子４６２の熱が制御部４０５に影響を及ぼすことを抑制することができる。例えば、熱による制御部４０５の誤動作を抑制することができる。
【０１０２】
例えば、発光素子４６２をノズル４７３を挟んで制御部４０５と反対側に配置し、かつ、発光素子４６２及びヒートシンク６００をケーシング４００内の下部に配置する。これにより、発光素子４６２の放熱効率を高めつつ、発光素子４６２の熱の制御部４０５への影響を抑えることができる。
【０１０３】
図８は、第２の実施形態にかかる衛生洗浄装置を模式的に表す平面図である。  
図８に表したように、衛生洗浄装置１２０は、流路ユニット６１０（冷却部）を有する。流路ユニット６１０は、紫外線照射部４６０に近接して配置される。流路ユニット６１０は、例えば、紫外線照射部４６０に接する。
【０１０４】
図９（ａ）及び図９（ｂ）は、第２の実施形態にかかる流路ユニットを模式的に表す側面図及び平面図である。  
図９（ａ）及び図９（ｂ）に表したように、流路ユニット６１０は、基板４６６の下に設けられる。すなわち、衛生洗浄装置１２０では、上記第１の実施形態のヒートシンク６００が、流路ユニット６１０に置き換えられている。
【０１０５】
流路ユニット６１０は、板状である。流路ユニット６１０の平面形状は、例えば、基板４６６の平面形状と実質的に同じである。流路ユニット６１０は、基板４６６と対向する対向面６１０ａを有する。対向面６１０ａには、流路６１２が設けられている。流路６１２は、例えば、断面略矩形の溝状である。流路ユニット６１０は、対向面６１０ａを基板４６６の発光素子４６２が設けられた面と反対側の面に接触させる。これにより、基板４６６によって流路６１２の上方が塞がれる。すなわち、基板４６６と流路ユニット６１０とによって、断面略矩形の流路６１２が形成される。基板４６６と流路ユニット６１０との間には、例えば、絶縁性と熱伝導性と耐水性とを有するシートなどを設けてもよい。対向面６１０ａは、これらのシートを介して基板４６６に接触してもよい。
【０１０６】
流路６１２は、流路ユニット６１０が基板４６６に取り付けられた時に、上下方向において発光素子４６２の少なくとも一部と重なる。換言すれば、流路６１２は、発光素子４６２の少なくとも一部と対向する位置に設けられる。
【０１０７】
流路ユニット６１０は、導水部２０に流れる水を流路６１２に流すことにより、導水部２０に流れる水を発光素子４６２と熱的に接触させる。これにより、流路ユニット６１０は、導水部２０に流れる水により、発光素子４６２を冷却する。すなわち、流路ユニット６１０は、発光素子４６２を水冷する。また、流路ユニット６１０自体が空気と触れることで冷却部としての役割を高めることができる。この例において、流路６１２は、クランク状に屈曲した断面略矩形の管路である。流路６１２の平面形状及び断面形状は、これに限ることなく、発光素子４６２の水冷が可能な任意の形状でよい。
【０１０８】
流路６１２は、導水部２０の一部を形成する。図８に表したように、流路６１２は、熱交換器ユニット４４０よりも上流側に設けられる。流路６１２の一端は、例えば、逆止弁４３３に接続される。流路６１２の他端は、例えば、熱交換器ユニット４４０に接続される。すなわち、流路６１２は、例えば、逆止弁４３３と熱交換器ユニット４４０との間に設けられる。流路６１２の位置は、これに限ることなく、導水部２０の経路上の任意の位置でよい。
【０１０９】
このように、衛生洗浄装置１２０では、流路ユニット６１０が、導水部２０に流れる水を発光素子４６２と熱的に接触させる流路６１２を有する。これにより、流路６１２を流れる水に発光素子４６２の熱を移し、発光素子４６２を適切に冷却することができる。
【０１１０】
また、衛生洗浄装置１２０では、流路ユニット６１０の流路６１２を、導水部２０の経路上において、熱交換器ユニット４４０よりも上流側に設ける。これにより、熱交換器ユニット４４０によって温められる前の冷たい水によって発光素子４６２を冷却することができ、発光素子４６２をより適切に冷却することができる。また、発光素子４６２によって水が温められるので、熱交換器ユニット４４０で与える熱量を抑えることもできる。例えば、熱交換器ユニット４４０の省電力化を図ることができる。
【０１１１】
図１０は、第２の実施形態にかかる流路ユニットの変形例を模式的に表す側面図である。  
図１０に表したように、この例において、流路ユニット６１４は、略円筒状の配管である。流路ユニット６１４は、内部空間に流路６１６を形成する。この場合、流路ユニット６１４には、例えば、アルミニウム、銅、鉄などの熱伝導率の高い金属材料を用いることが好ましい。このように、流路ユニットは、筒状でもよい。発光素子４６２を冷却する冷却部は、例えば、導水部２０の一部を形成する配管でもよい。
【０１１２】
図１１は、第３の実施形態にかかる紫外線照射部を模式的に表す断面図である。  
図１１に表したように、紫外線照射部４６０ａには、伝熱部材６２０（冷却部）が取り付けられている。伝熱部材６２０は、基板４６６を介して発光素子４６２と熱的に接触するとともに、流路４６１を介して流路４６１内を流れる水と熱的に接触する。伝熱部材６２０は、例えば、基板４６６に直接接触するとともに、流路４６１に直接接触する。伝熱部材６２０は、発光素子４６２の熱を流路４６１内を流れる水に逃がすことにより、発光素子４６２を冷却する。
【０１１３】
このように、発光素子４６２の水冷は、流路４６１内を流れる水を用いて行ってもよい。伝熱部材６２０には、例えば、アルミニウム、銅、鉄などの熱伝導率の高い金属材料が用いられる。また、この場合には、流路４６１にも熱伝導率の高い金属材料などを用いることが好ましい。この例において、流路４６１及び伝熱部材６２０は、金属材料からなることが好ましい。
【０１１４】
図１２は、第４の実施形態にかかる衛生洗浄装置を模式的に表す正面図である。  
図１２に表したように、衛生洗浄装置１３０は、送風ユニット６３０（冷却部）を有する。送風ユニット６３０は、送風部６３２を有する。送風部６３２は、いわゆる送風ファンである。送風部６３２は、発光素子４６２に向けて送風する。これにより、送風部６３２は、発光素子４６２を冷却する。すなわち、送風部６３２は、発光素子４６２を空冷する。この例では、衛生洗浄装置１３０にヒートシンク６００を設け、送風部６３２は、ヒートシンク６００に風を吹き付ける。これにより、空冷の効果をより高めることができる。ヒートシンク６００は、必要に応じて設けられ、省略可能である。
【０１１５】
このように、送風部６３２による空冷は、ヒートシンク６００などを介して行ってもよいし、発光素子４６２に直接風を吹き付けて行ってもよい。送風部６３２は、少なくとも発光素子４６２に向かう方向に風を送るものであればよい。
【０１１６】
送風部６３２は、例えば、ケーシング４００内において発光素子４６２の下方に設けられ、下から上に向かって送風する。送風部６３２は、制御部４０５に接続されている。送風部６３２の動作は、制御部４０５によって制御される。
【０１１７】
図１３は、第４の実施形態にかかる衛生洗浄装置の動作を例示するタイミングチャートである。  
図１３に表したように、衛生洗浄装置１３０の制御部４０５は、人体洗浄の開始の指示が入力され、紫外線照射部４６０の発光素子４６２を点灯させるとともに、送風部６３２を駆動し、発光素子４６２の冷却を開始する（タイミングｔ３１）。
【０１１８】
そして、制御部４０５は、ノズル４７３の洗浄を行い、紫外線照射部４６０の動作を停止させるとともに、送風部６３２の動作を停止させる（タイミングｔ３２）。このように、制御部４０５は、発光素子４６２が紫外線を照射している時に、送風部６３２を動作させる。
【０１１９】
このように、衛生洗浄装置１３０では、送風部６３２が、発光素子４６２に向けて送風する。これにより、発光素子４６２を適切に冷却することができる。
【０１２０】
また、衛生洗浄装置１３０では、送風部６３２が、下から上に向かって送風する。これにより、下側に溜まった比較的冷たい空気を発光素子４６２に吹き付けることができ、より効率良く発光素子４６２を冷却することができる。
【０１２１】
また、衛生洗浄装置１３０では、制御部４０５が、発光素子４６２が紫外線を照射している時に送風部６３２を動作させる。これにより、送風部６３２を適切なタイミングで動作させることができ、余計な送風を抑えることができる。例えば、衛生洗浄装置１３０の消費電力を抑えることができる。
【０１２２】
図１４は、第４の実施形態にかかる衛生洗浄装置の変形例を模式的に表す平面図である。  
図１４に表したように、衛生洗浄装置１３２は、脱臭ユニット６４０（冷却部）を有する。脱臭ユニット６４０は、例えば、ケーシング４００内において、ノズル４７３を挟んで給水口４１０と反対側の空間に配置される。衛生洗浄装置１３２では、紫外線照射部４６０が、脱臭ユニット６４０と隣接して配置される。
【０１２３】
図１５は、第４の実施形態にかかる脱臭ユニットを模式的に表す斜視図である。  
図１５に表したように、脱臭ユニット６４０は、脱臭ファン６４２（送風部）と、脱臭ノズル６４４と、排出ノズル６４６と、を有する。脱臭ノズル６４４は、ケーシング４００が便器８００の上に取り付けられた状態において、便器８００のボウル８０１に連通する。また、脱臭ノズル６４４は、脱臭ファン６４２の吸引口に連通する。これにより、脱臭ノズル６４４は、ボウル８０１から脱臭ファン６４２の吸引口へと至る風路を形成する。
【０１２４】
脱臭ファン６４２は、脱臭ノズル６４４を介してボウル８０１内の空気を吸引する。脱臭ファン６４２は、吸引した空気を図示を省略した脱臭触媒に向けて吹き出す。脱臭触媒は、脱臭ファン６４２によって吹き込まれた空気中の臭気成分を、分解あるいは吸着することで臭気を除去する。
【０１２５】
排出ノズル６４６は、脱臭ファン６４２の排気口に連通している。排出ノズル６４６は、脱臭触媒によって臭気が除去された空気を排気口４０７を介してケーシング４００の外部に排出する。
【０１２６】
また、衛生洗浄装置１３２では、排出ノズル６４６内にヒートシンク６００が入り込んでいる。これにより、脱臭ファン６４２は、ボウル８０１内の空気を吸引してケーシング４００の外部に排出し、脱臭を行うとともに、吸引した空気をヒートシンク６００に吹き付けることにより、紫外線照射部４６０の発光素子４６２を冷却する。
【０１２７】
脱臭ファン６４２は、制御部４０５に接続されている。脱臭ファン６４２の動作は、制御部４０５によって制御される。制御部４０５は、例えば、着座検知センサ４０４による使用者の着座の検知に応じて脱臭ファン６４２を動作させる。そして、制御部４０５は、例えば、着座検知センサ４０４による使用者の着座の検知の解除から所定時間経過した後、脱臭ファン６４２の動作を停止させる。これにより、発光素子４６２が紫外線を照射している期間において、適切に発光素子４６２を冷却することができる。
【０１２８】
このように、衛生洗浄装置１３２では、ケーシング４００が便器８００の上に取り付けられた状態において、脱臭ファン６４２が、ボウル８０１内の空気を吸引し、その空気を発光素子４６２に向けて送風する。便器８００には、一般的に陶器が用いられており、また、ボウル８０１内には、封水が溜まっている。このため、ボウル８０１内の空気は、他の部分の空気に比べて比較的冷たい。従って、衛生洗浄装置１３２では、ボウル８０１内に溜まった比較的冷たい空気を発光素子４６２に吹き付けることができ、より効率良く発光素子４６２を冷却することができる。また、脱臭ファン６４２を発光素子４６２の空冷に用いることにより、発光素子４６２の冷却にともなう衛生洗浄装置１３２の部品点数の増加や大型化を抑えることができる。
【０１２９】
上記実施形態では、衛生洗浄装置１００と便器８００とが一体になった一体型のトイレ装置を例示している。衛生洗浄装置は、例えば、便器に対して着脱自在に取り付けられる、いわゆるシート型の便座装置でもよい。
【０１３０】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、衛生洗浄装置１００などが備える各要素の形状、寸法、材質、配置、設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【０１３１】
１０ 給水源、  ２０ 導水部、  ２１ おしり洗浄流路、  ２２ やわらか洗浄流路、  ２３ ビデ洗浄流路、  ２４ 表面洗浄流路、  ２５ 噴霧用流路、  １００、１０２、１０４、１２０、１３０、１３２ 衛生洗浄装置、  ２００ 便座、  ３００ 便蓋、  ３１０ 透過窓、  ４００ ケーシング、  ４０１ 電源回路、  ４０３ 人体検知センサ、  ４０４ 着座検知センサ、  ４０５ 制御部、  ４０７ 排気口、  ４０８ 排出口、  ４０９ 凹設部、  ４１０ 給水口、  ４３１ 電磁弁、  ４３２ 調圧弁、  ４３３ 逆止弁、  ４４０ 熱交換器ユニット、  ４４２ 流量センサ、  ４５０ 電解槽ユニット、  ４５２ バキュームブレーカ、  ４５４ 圧力変調装置、  ４６０ 紫外線照射部、  ４６１ 流路、  ４６２ 発光素子、  ４６３ 紫外線照射窓、  ４６４ パッキン、  ４６５ 蓋部、  ４６６ 基板、  ４６７ 本体部、  ４６８ 反射部、  ４７１ 流量調整部、  ４７２ 流路切替部、  ４７３ ノズル、  ４７４ａ ビデ洗浄吐水口、  ４７４ｂ 洗浄吐水口、  ４７６ ノズルモータ、  ４７８ ノズル洗浄室、  ４７９ 噴霧ノズル、  ５００ 操作部、  ６００ ヒートシンク、  ６１０、６１４ 流路ユニット、  ６１２、６１６ 流路、  ６２０ 伝熱部材、  ６３０ 送風ユニット、  ６３２ 送風部、  ６４０ 脱臭ユニット、  ６４２ 脱臭ファン、  ６４４ 脱臭ノズル、  ６４６ 排出ノズル、  ８００ 便器、  ８０１ ボウル
【図１】
0006750191.tif 000002
【図２】
0006750191.tif 000003
【図３】
0006750191.tif 000004
【図４】
0006750191.tif 000005
【図５】
0006750191.tif 000006
【図６】
0006750191.tif 000007
【図７】
0006750191.tif 000008
【図８】
0006750191.tif 000009
【図９】
0006750191.tif 000010
【図１０】
0006750191.tif 000011
【図１１】
0006750191.tif 000012
【図１２】
0006750191.tif 000013
【図１３】
0006750191.tif 000014
【図１４】
0006750191.tif 000015
【図１５】
0006750191.tif 000016